(57)【特許請求の範囲】
【請求項１】
ステータ板を有するモータのステータ部と、
前記モータのロータ部と、
このロータ部のスラスト方向の加圧を受けて前記ロータ部の回転を確保するスラスト軸受と、
このスラスト軸受における前記ステータ部側のスラスト受板が重ねられて前記スラスト軸受を前記ステータ部に支持する補助支持板であって、前記スラスト受板より外側領域にて前記スラスト受板が重ねられた領域が凹部となるように前記ロータ部側軸方向に屈曲形成されたフランジを有し、このフランジ内側領域を前記ステータ板にはめ込むとともに、前記フランジを前記ロータ部と対面する前記ステータ板上に重ねてこれに支持された補助支持板と、を具備することを特徴とするモータ装置。
【請求項２】
前記補助支持板は、前記ステータ板よりも硬い材料にて成形されていることを特徴とする、請求項１記載のモータ装置。
【発明の詳細な説明】
【０００１】
【発明の属する技術分野】
本発明はモータ装置に係り、例えば３．５インチのフレキシブルディスクなどを直接支持回転させるモータ装置の改良に関する。
【０００２】
【従来の技術】
従来、３．５インチのフレキシブルディスクなどを直接支持回転させるモータ装置としては、図４に示すように、図示しない電子回路を形成した磁性体製ステータ板１に、例えばオイルレスメタルからなるラジアル軸受３をかしめ加工によって直接固定し、硬球５ａを保持する保持器５ｂをスラスト受板５ｃ、５ｄで挟んだスラスト軸受５を、そのラジアル軸受３の外周にはめるようにしてステータ板１に載置し、このスラスト軸受５を囲むように複数の駆動コイル７をステータ板１に平面的に固定し、ロータ板９に保持したロータ軸１１をそのラジアル軸受３に軸支させるとともにそのロータ板９をスラスト受板５ｄに当接させ、ロータ板９に固定した駆動マグネット１３を駆動コイル７に面対向させたスピンドル構成が知られている。
【０００３】
この構成のモータ装置は、ラジアル方向に対してロータ軸１１がラジアル軸受３で支持されるとともに、スラスト方向に対してロータ板９がスラスト軸受５で支持された状態で回転するから、そのロータ板９の背面側に図示しない公知の保持手法でフレキシブルディスクを保持すれば、これを回転させることができる。
【０００４】
【発明が解決しようとする課題】
しかしながら、上述した構成のモータ装置は、ロータ軸１１を軸支するラジアル軸受３がステータ板１に直接かしめ固定されているから、かしめ加工時の加圧によって特にステータ板１に歪みが生じ易く、ロータ軸１１の軸芯が傾いて回転振れが生じたり、モータ自体が斜めに電子機器に取付けられたりして、フレキシブルディスクの正確な平面的回転を確保できなくなる難点がある。
【０００５】
また、図５中の破線で示すように、ロータ板９に固定した駆動マグネット１３の吸引によって磁性体製ステータ板１が変形し易く、ラジアル軸受３も変位してロータ軸１１の軸芯が傾き、フレキシブルディスクの正確な平面回転を確保し難くなる難点もある。
【０００６】
本発明はそのような従来の課題を解決するためになされたもので、ロータ軸方向の厚み寸法を大きくせずに、そのロータ軸の傾きを抑えて回転振れを改善したモータ装置の提供を目的とする。
【０００７】
【課題を解決するための手段】
そのような課題を解決するために本発明のモータ装置は、ステータ板を有するモータのステータ部と、そのモータのロータ部と、このロータ部のスラスト方向の加圧を受けてそのロータ部の回転を確保するスラスト軸受と、このスラスト軸受におけるステータ部側のスラスト受板が重ねられてそのスラスト軸受をステータ部に支持する補助支持板とを有している。
【０００８】
そして、その補助支持板は、そのスラスト受板より外側領域に形成されかつスラスト受板が重ねられた領域が凹部となるようにそのロータ部側軸方向に屈曲形成されたフランジを有し、このフランジ内側領域をそのステータ板にはめ込むとともに、そのフランジを上記ロータ部と対面するそのステータ板上に重ねてこれに支持されてなるものである。
【０００９】
【発明の実施の形態】
以下、本発明の実施の形態を図面を参照して説明する。なお、従来例と共通する部分には同一の符号を付す。
【００１０】
図１は本発明に係るモータ装置を示す縦半断面図である。
【００１１】
図１において、ステータ板１は、鋼板等の強磁性体材料から形成され、補助支持板１５を介してラジアル軸受３及びスラスト軸受５がそれに支持されるとともに、図１中の上面側に例えば電子回路（図示省略）を有し、図示しない電子機器に適当な固定手段によって固定されている。
【００１２】
補助支持板１５は、図２に示すように、ステータ板１と同等又はそれより硬い材料でリング板状に扁平に形成されるとともに若干屈曲形成されたフランジ１５ａを有しており、フランジ１５ａの内側領域が凹部１５ｂとなっている。
【００１３】
補助支持板１５の凹部１５ｂ中央部には、例えばオイルレスメタルからなる上述したラジアル軸受３が固定されるとともに、上述したスラスト軸受５がラジアル軸受３を囲むように支持されている。
【００１４】
補助支持板１５は、凹部１５ｂをステータ板１に形成された支持孔１ａにはめるとともに、フランジ１５ａをステータ板１の図中上面に当接し、スラスト軸受５の外周より大きくはみ出すようにして固定されている。
【００１５】
スラスト軸受５は、複数の硬球５ａを分散保持したリング板状の保持器（リテーナ）５ｂと、この保持器５ｂを間において硬球５ａに当接するようにこれを挟むリング板状のスラスト受板５ｃ、５ｄから形成されており、硬球５ａが滑り回転自在となるような材料で保持器５ｂが形成される一方、スラスト受板５ｃ、５ｄも硬球５ａが滑り回転自在となるような硬質材料で形成されている。
【００１６】
ステータ板１には、複数の駆動コイル７が補助支持板１５のフランジ１５ａの外周を囲むようにして平面的かつ環状に固定され、上述した電子回路に接続されている。
【００１７】
それらステータ板１、ラジアル軸受３、スラスト軸受５、駆動コイル７，及び補助支持板１５等によってステータ部１７が形成されている。
【００１８】
ロータ板９は、鋼板等の強磁性体材料から偏平なカップ状に形成され、その内側にはリング板状の駆動マグネット１３を有するとともに、その回転中央部にはロータ軸１１を貫通保持している。
【００１９】
このロータ板９は、駆動マグネット１３の内周においてスラスト軸受５を形成する他方（図中上側）のスラスト受板５ｄに当接させるとともにそのロータ軸１１をラジアル軸受３に挿入し、駆動マグネット１３が駆動コイル７と僅かな間隔で面対向するようにして回転自在に支持されている。
【００２０】
それらロータ板９、ロータ軸１１および駆動マグネット１３等によってロータ部１９が形成され、スピンドル構成となっている。
【００２１】
このようなスピンドル構成のモータ装置は、複数の駆動コイル７を切換え通電してロータ板９を回転させれば、ロータ板９の背面側に保持した例えばフレキシブルディスク（図示せず）を回転させることができる。
【００２２】
そして、このようなモータ装置は、スラスト軸受５を支持する補助支持板１５が、そのスラスト軸受５より大径のフランジ１５ａを有し、フランジ１５ａの内側領域にそのスラスト軸受５を配置し、そのフランジ１５ａをステータ板１に重ねて支持するから、駆動マグネット１３とステータ板１の吸引力によるステータ板１の反りの支点Ｐがそのフランジ１５ａの先端又はその外周になる。
【００２３】
そのため、ステータ板１に歪みが生じ難くなり、ロータ軸１１の軸芯が傾くことも、モータ装置自体が傾いて電子機器に取付けられることも少なく、ロータ板９の正確な平面的回転が確保され、フレキシブルディスク等を正確に平面回転させることができる。
【００２４】
特に、図３に示すように、駆動マグネット１３の半径寸法ａに対して、補助支持板１５におけるフランジ１５ａの外周までの半径寸法ｂを２／５以上に選定して大きくはみ出すようにすれば、ステータ板１の反りを無視できる程度に抑えることが可能である。
【００２５】
また、補助支持板１５が扁平なリング板状となっているうえ、浅い凹部１５ｂをステータ板１の支持孔１ａにはめ込んで固定するとともに、ロータ部１９側軸方向に段差のように若干屈曲させた環状のフランジ１５ａをステータ板１に重ねて固定したから、補助支持板１５の厚み方向の寸法がモータ装置の軸方向の寸法に影響せず、薄型構成となる。
【００２６】
さらに、ラジアル軸受３は補助支持板１５にかしめ固定されており、補助支持板１５をステータ板１よりも硬い材料から成形すれば、かしめによる歪みが生じ難い。
【００２７】
ところで、上述した本発明のモータ装置におけるスラスト軸受５はこれに限定されず、他の公知のスラスト軸受で実施可能であるし、本発明のモータ装置は、上述したスピンドル構成に限定されず、用途もフレキシブルディスクの支持回転用に限定されない。
【００２８】
【発明の効果】
以上説明したように本発明のモータ装置は、ロータ部のスラスト方向の加圧を受けてそのロータ部の回転を確保するスラスト軸受と、このスラスト軸受におけるステータ部側のスラスト受板が重ねられてそのスラスト軸受をステータ部に支持する補助支持板とを有し、この補助支持板は、そのスラスト受板より外側領域に形成されかつスラスト受板が重ねられた領域が凹部となるようにそのロータ部側軸方向に屈曲成形されたフランジを有し、このフランジ内側領域をそのステータ板にはめ込むとともに、そのフランジを上記ロータ部と対面するそのステータ板上に重ねてこれに支持されるから、ステータ板が駆動マグネットに吸引されても歪みが生じ難く、ロータ軸の傾きを抑えて回転振れを改善することが容易で、構成も簡単で安価であるし、ロータ軸方向の厚み寸法を大きくさせない。
【００２９】
また、ラジアル軸受をかしめ固定する補助支持板を、ステータ板より硬い材料にて成形すれば、かしめによる歪みが生じ難い。
【図面の簡単な説明】
【図１】本発明に係るモータ装置を示す縦半断面図である。
【図２】図１のモータ装置におけるステータ板と補助支持板を示す分解断面図である。
【図３】図１のモータ装置におけるステータ板と補助支持板との関係を示す概略平面図である。
【図４】従来のモータ装置を示す縦半断面図である。
【図５】図４のモータ装置における作用を説明する概略縦半断面図である。
【符号の説明】
１  ステータ板
１ａ  支持孔
３  ラジアル軸受
５  スラスト軸受
５ａ  硬球
５ｂ  保持器
５ｃ  スラスト受板（ステータ側）
５ｄ  スラスト受板（ロータ側）
７  駆動コイル
９  ロータ板
１１  ロータ軸
１３  駆動マグネット
１５  補助支持板
１５ａ  フランジ
１５ｂ  凹部
１７  ステータ部
１９  ロータ部
【図１】
0003738219.tif 000002
【図２】
0003738219.tif 000003
【図３】
0003738219.tif 000004
【図４】
0003738219.tif 000005
【図５】
0003738219.tif 000006